(57)【要約】      （修正有）【課題】循環方式を用いることなく、かつ苗等の根腐れの生じることのない間断式栽培方法及び間断式栽培用育苗床パネルを提供すること。【解決手段】矩形状支持板の表面に交差する複数本の溝３ａ、３ｂからなる格子状水路を有し該格子状の水路の各交点６に支持部１１が設けられた合成樹脂からなる育苗床パネル１と、支持部１１に配置される底部に給水口を有する複数の育苗ポットと、を用い、水路内に培養液を育苗ポットの底部が浸る程度供給する工程を所定のタイミングで間断的に行うことで育苗ポットに植えられた苗等を育成する。【選択図】図３
2007110933.tif 000002
【特許請求の範囲】
【請求項１】
矩形状支持板の表面に交差する複数本の溝からなる格子状水路を有し該格子状の水路の各交点に支持手段が設けられた合成樹脂からなる育苗床パネルと、前記支持手段に配置される底部に給水口を有する複数の育苗ポットと、を用い、前記水路内に培養液を前記育苗ポットの底部が浸る程度供給する工程を所定のタイミングで間断的に行うことで前記育苗ポットに植えられた苗等を育成することを特徴とする間断式栽培方法。
【請求項２】
前記培養液を供給する工程は、前記水路内に供給された培養液の量が前記育苗ポットの底部に触れない位置まで減少したタイミングで行われることを特徴とする請求項１に記載の間断式栽培方法。
【請求項３】
前記培養液を供給する工程は、既に前記水路内に培養液が貯留されている場合には、該水路内の培養液を排出した後に行われることを特徴とする請求項１又は２に記載の間断式栽培方法。
【請求項４】
所定の横幅、長さ及び厚みを有する合成樹脂の支持板に形成した交差する複数本の溝からなる格子状の水路の各交点に、底部に給水口を有する育苗ポットを支持する支持手段を備え、前記支持板の側壁又は底面に前記水路に連通する培養液の給排水口が設けられたことを特徴とする間断式栽培用育苗床パネル。
【請求項５】
前記育苗床パネルの溝の断面が、実質的にＶ字状であることを特徴とする請求項１又は４に記載の間断式栽培用育苗床パネル。
【請求項６】
前記支持手段が、該育苗ポットを垂直にあるいは斜めにして支持するように形成されていることを特徴とする請求項１又は４に記載の間断式栽培用育苗床パネル。
【請求項７】
前記育苗床パネルの前記複数本の溝で囲まれた部分は薄肉に形成されているかあるいは中抜き構造となっていることを特徴とする請求項１又は４に記載の間断式栽培用育苗床パネル。
【請求項８】
前記支持板の側壁には前記溝に連通する連結穴が形成されており、複数の前記育苗用パネルが前記連結穴を介して複数個連結可能であることを特徴とする請求項１又は４に記載の間断式栽培用育苗床パネル。
【請求項９】
前記水路の各交点の底部が、該各交点を結ぶ底部よりも上方向に隆起していることを特徴とする請求項１又は４に記載の間断式栽培用育苗床パネル。
【発明の詳細な説明】
【技術分野】
【０００１】
本発明は、水耕栽培用の栽培方法及び育苗床パネルに関し、特に小規模な園芸水耕栽培から大規模な水耕栽培農業にまで適用可能な、経済的に安価に水耕栽培ができる間断式栽培方法及び間断式栽培用育苗床パネルに関するものである。
【背景技術】
【０００２】
水耕栽培はハウス内で土を使わずに養分を含んだ培養液で、季節や天候に左右されずに無農薬野菜や花卉類を一年中生産できるので、いまや個人的な規模の園芸から大規模な農業にまで広がっている。野菜に例をとれば、ラディッシュ、枝豆、サニーレタス、クレソン、ほうれん草、サラダ菜、チンゲンサイ、小松菜、べカナ、インゲン豆、ハギナ、ミニトマトなどが水耕栽培で栽培されている他、水稲、ハーブ、イチゴ、甘藷などの苗の育苗にも使用されている。また花卉では、ヒヤシンス、スイセン、クロッカス、サフラン、チューリップ、サボテンなど極めて多種類の育成に使用されている。
【０００３】
従来、水耕栽培として一般的に行なわれているものは、下記特許文献１に開示されたような湛液型循環式といわれるものであって、培養液を入れた大型の水槽に育苗床を浮かべ、これに苗を植えた育苗ポットを支持させて、ポンプで四六時中培養液を循環させるものであった。この装置は、図１０に示したように、播種された育苗ポット９１群を一体に整形した育苗器９２を載せる水耕栽培床９３が、培養液を適宜の深さに貯留しながら流動循環させるもので、一端部に培養液供給部９６を形成し、他端部には培養液を越流する堰９７及び排液口部９９を形成し、これらの中間の水耕栽培床９３上には、育苗器９２の区切り溝９５内に嵌合して支持する支持桟９８を適宜区画に仕切り形成している。水耕栽培床９３の下部には培養液槽１００を設け、この槽から一体に突出する支柱１０１上に支持して取り付けられ、モータ１０２によって駆動されるポンプ１０３によって培養液が上方の培養液供給部９６へ汲み上げられる。１０４は汲み上げ用のパイプである。
【０００４】
また、従来湛水栽培ではなく、栽培する苗の上から培養液を掛けるものも存在するが、この方法では作物に病気が発生しがちであった。その理由としては苗の摘葉した傷などに直接水がかかることでカビが発生したり、この傷から水に含まれる細菌が侵入したりすることで作物がだめになってしまうのである。そのため、培養液の供給方法としては、かけ流しよりも湛液型循環式が用いられることが多い。
【０００５】
さらに最近では、下記特許文献２のような底面潅水が可能な水耕装置も開示されている。この装置は、図１１に示したような、水稲の機械移植に供するマット状苗の水耕装置１１１であって、マット状苗の育苗のほかに花卉類や野菜類などの栽培にも使用することができるように、複数枚の育苗床材１１２を並べて敷き詰める育苗ベッド１１３を備えて構成されている。育苗ベッド１１３は全体に平面状であってその一部が多数の通水孔１１４をあけた通水面１１５を成していて、通水面１１５の下面に対応して上面に開いた凹溝状の水路構成体１１６を配置したことにより、育苗部１１８に対する流し給水方式の潅水と底面潅水のいずれにも対応できるようにしたものである。育苗ベッド１１３は前後方向は構成枠を設け、幅方向に複数の分割構成枠が連結されて一体化されている。この装置は育苗ベッド１１３の上面から潅水する流し給水方式の潅水装置１１９を備えており、１２０はその給水系のポンプ、１２１は給水弁、１２２は推移保持オーバーフロー口、１２３は配水管、１２４は水タンクである。
【０００６】
【特許文献１】特開平２−１３１５２９号公報（第１図、２頁）
【特許文献２】特開２００２−３４３６４号公報（図１、［０００５］、［０００６］、［００２３］）
【発明の開示】
【発明が解決しようとする課題】
【０００７】
ところが、上記のような従来の水耕栽培技術においては、大型の水槽を使用するので使用する培養液の量も多く、また大掛かりな培養液の循環設備を必要とするため高価になり、それに伴いメンテナンス費用も高くなる。
また、育苗ポットが常時培養液に浸されているので、苗が根腐れを起こさないようにポンプは常に運転し培養液を循環させなければならず電気代がかさむことになる。
【０００８】
本願の発明者は、前記の問題点を解消すべく種々検討を行った結果、栽培方法として培養液の供給を間断式とし、苗等の植えられた育苗ポットの底部から培養液を供給することによって、上記問題が解決できることを見出し、本発明を完成するに至ったものである。
【０００９】
すなわち、本発明は、循環方式を用いることなく、かつ苗等の根腐れの生じることのない間断式栽培方法及び間断式栽培用育苗床パネルを提供することを目的とするものである。
【００１０】
また本発明の他の目的は、培養液の使用量を削減することができ、電気代等の維持費が安価ですむ間断式栽培方法及び間断式栽培用育苗床パネルを提供することである。
【課題を解決するための手段】
【００１１】
前記課題を解決するために、本願の請求項１に係る発明は、矩形状支持板の表面に交差する複数本の溝からなる格子状水路を有し該格子状の水路の各交点に支持手段が設けられた合成樹脂からなる育苗床パネルと、前記支持手段に配置される底部に給水口を有する複数の育苗ポットと、を用い、前記水路内に培養液を前記育苗ポットの底部が浸る程度供給する工程を所定のタイミングで間断的に行うことで前記育苗ポットに植えられた苗等を育成することを特徴とする。
【００１２】
また、請求項２に記載の発明は、請求項１に記載の間断式栽培方法において、前記培養液を供給する工程は、前記水路内に供給された培養液の量が前記育苗ポットの底部に触れない位置まで減少したタイミングで行われることを特徴とする。
【００１３】
また、請求項３に記載の発明は、請求項１又は２に記載の間断式栽培方法において、前記培養液を供給する工程は、既に前記水路内に培養液が貯留されている場合には、該水路内の培養液を排出した後に行われることを特徴とする。
【００１４】
請求項４に記載の間断式栽培用育苗床パネルの発明は、所定の横幅、長さ及び厚みを有する合成樹脂の支持板に形成した交差する複数本の溝からなる格子状の水路の各交点に、底部に給水口を有する育苗ポットを支持する支持手段を備え、前記支持板の側壁又は底面に前記水路に連通する培養液の給排水口が設けられたことを特徴とする。
【００１５】
また、請求項５に記載の発明は、１又は４に記載の間断式栽培用育苗床パネルにおいて、前記育苗床パネルの溝の断面が、実質的にＶ字状であることを特徴とする請求項。
【００１６】
また、請求項６に記載の発明は、請求項１又は４に記載の間断式栽培用育苗床パネルにおいて、前記支持手段が、該育苗ポットを垂直にあるいは斜めにして支持するように形成されていることを特徴とする。
【００１７】
また、請求項７に記載の発明は、請求項１又は４に記載の間断式栽培用育苗床パネルにおいて、前記育苗床パネルの前記複数本の溝で囲まれた部分は薄肉に形成されているかあるいは中抜き構造となっていることを特徴とする。
【００１８】
また、請求項８に記載の発明は、請求項１又は４に記載の間断式栽培用育苗床パネルにおいて、前記支持板の側壁には前記溝に連通する連結穴が形成されており、複数の前記育苗用パネルが前記連結穴を介して複数個連結可能であることを特徴とする。
【００１９】
また、請求項９に記載の発明は、請求項１又は４に記載の間断式栽培用育苗床パネルにおいて、前記水路の各交点の底部が、該各交点を結ぶ底部よりも上方向に隆起していることを特徴とする。
【発明の効果】
【００２０】
本願の請求項１に係る発明によれば、水路内に所定のタイミングで培養液を育苗ポットの底面に触れる程度供給することにより、育苗ポット内の苗等は育苗ポット底部から培養液を吸い上げることで十分に給水されるが、この吸い上げ及び水面からの自然蒸発によって、所定時間経過すると育苗ポットの底面が培養液に触れなくなる。これにより、苗等には十分な給水を行う反面、培養液に長時間浸されることにより生じる根腐れは良好に阻止される。また、間断的に培養液が供給されるので、循環式のように常に培養液循環のためのエネルギーが不要で、以って電気代の削減を行うことができる。また、培養液を水槽内で常に対流させる必要がないので、培養液自体も節約できる。
【００２１】
また、本願の請求項２に係る発明によれば、育苗ポットが培養液に触れなくなるまで培養液を供給しないことで、供給回数を少なくでき、また、常に培養液に浸った状態とはならないので、根腐れを効果的に防止できる。
【００２２】
また、本願の請求項３に係る発明によれば、培養液を供給する際に、既に水路内にある培養液は一旦排出されるので、苗等に供給される培養液は常に新しいものとなるので、苗等に悪影響を及ぼす心配がない。
【００２３】
また、本願の請求項４に係る発明によれば、間断式栽培用育苗床パネルは、安価な材料で、簡単な形状、構造で形成できるため、安価に提供できる。また間断式給水栽培方法に適した構造であり、培養液の循環設備なので、使用する電力及び培養液を少なくすることができる経済的な構造を有し、かつ培養液は使い切りとなり、無駄がなくなって維持費が安くなる。
【００２４】
また、本願の請求項５に係る発明によれば、間断式底面給水栽培用育苗床パネルにおいて、育苗床パネルの溝の断面を略Ｖ字状にしたので、使用する培養液を少なくすることができ、かつ間断式底面給水栽培においては、培養液は使い切りであり、無駄がなくなって維持費が安くなる。
【００２５】
また、本願の請求項６に係る発明によれば、間断式底面給水栽培用育苗床パネルにおいて、育苗ポットの支持が育苗ポットを斜めにして支持するように形成されているので、ポットの培養液との接触面積を広げることができ、給水が早い他、例えば、イチゴの育苗においては、苗を本圃に定植した後の分割生育がよいという付加的な効果もある。
【００２６】
また、本願の請求項７に係る発明によれば、間断式底面給水栽培用育苗床パネルにおいて、育苗床パネルは溝に囲まれた部分が薄肉または中抜き構造となっているので、材料費を節約でき安価なパネルを提供することができる。
【００２７】
また、本願の請求項８に係る発明によれば、間断式栽培用育苗床パネルを連結穴により複数個連結すれば、簡単に育苗床パネルの数を増やすことができるようになる。
【００２８】
また、本願の請求項９に係る発明によれば、間断式底面給水栽培用育苗床パネルの水路の各交点に対応する底部が隆起していることによって、その部分に培養液の滞留を起こすことがないので苗の根腐れを防止できる。
【発明を実施するための最良の形態】
【００２９】
以下、本発明に係る間断式栽培方法及び間断式栽培用育苗床パネルについて、具体的実施例を添付の図面を参照して詳細に説明する。ただし、以下に示す実施例は本発明の技術思想を具体化するための間断式栽培方法及び間断式栽培用育苗床パネルを例示するものであって、本発明をこれらに特定することを意図するものではなく、特許請求範囲に含まれるその他のものにも等しく適用し得るものである。
【００３０】
図１は本発明の実施例１に係る間断式底面給水栽培方法に使用する育苗床パネルの平面図、図２は間断式底面給水栽培方法を実現する栽培装置の一例を示す斜視図、図３は図１の育苗床パネルの一部拡大平面図、図４は図１のＡ−Ａ線で切断した断面図、図５は図１のＢ−Ｂ線で切断した断面図、図６は図４に示す育苗用パネルに育苗用ポットを配置した状態を示す断面図、図７は他の実施例２に係る間断式底面給水栽培方法に使用する育苗床パネルの交点部分の使用状態を示す断面図、図８は図７の交点部分の平面図、図９は育苗床パネルのさらに他の実施例の平面図である。
【実施例１】
【００３１】
本実施例の間断式栽培方法は、所定の横幅、長さ及び厚みを有し合成樹脂からなる矩形状支持板２を用いた育苗床パネル１を使用する。支持板２本体の表面には縦横に延びる複数本の溝３ａ、３ｂが形成され、これらが格子状水路５を形成し、この複数本の溝３ａ、３ｂの交点６に育苗ポット７を支持する支持部１１が設けられたものである。そして、この支持部１１に育苗ポット７を差し込み配置し、育苗床パネル１の水路５内に培養液を供給することによって、育苗ポット７に植えた苗を育成する。
【００３２】
この間断式栽培方法に使用する育苗床パネル１は、図１に示すように、例えば、幅９０ｃｍ、長さ１２０ｃｍ、厚み１０ｃｍのように、所定の横幅、長さ及び厚みを有する発泡スチロールなどの合成樹脂からなる矩形状支持板２から構成され、この表面に形成された縦横の溝３ａ、３ｂからなる格子状水路５の交点６にはこの交点６部分を囲むように設けられた突起からなる育苗ポット７の支持部１１が設けられている。また、これらの支持板２からなる育苗床パネル１は、図２に示すように高架床台８上に例えば複数個載置される。
【００３３】
育苗ポット７は、図６に示したように、胴部７ａと底部７ｂが一体に形成され、胴部７ａには波形形状の凹凸が設けられることがあり、またその上縁に側方に張り出した補強用及び育苗用ポット７固定用のフランジ７ｃが形成されている。育苗ポット７の底面７ｂには、苗が容器内で発育を継続できるように、適当な大きさの給水用の孔や通気孔が１乃至複数個形成されている。育苗ポット７の中は培土が満たされ、例えばイチゴなどの苗９が植えられている。
【００３４】
水耕栽培が基本的には土を使用せず、水を媒体とした養分を含んだ培養液で人工的に積極的なコントロールのもとで花卉や野菜を栽培するのに対して、間断式給水栽培方法は、培土を入れたポットを使用し、給水は必要なときに間断的にかけ流しまたは側壁または底面に設けられた給排水口４からの潅水で行なうものである。なお本実施例においては、底面からの給水を採用し、根腐れを避けるために、必要なときにのみ間断的に行なうものである。しかも、本発明においては、培養液は水路の大きさ（断面積、長さ）と液の深さとで計算した量を自動的に供給すれば、培養液が減少するたびに自動的に供給できるので使用者の手間を省くことができるとともに無駄な培養液を使用することがないので使用量を大幅に節減できる。
【００３５】
また、この育苗床パネル１を高架床台８に複数枚載せ、育苗床パネル１側壁に設けられた連結穴１０を用いて連結すれば、育苗する苗の数に応じて簡単に育苗床パネル１を増設でき、また、培養液を供給するための給水ポンプ１２及び貯水槽１３は増やす必要はない。なお、本実施例では給水ポンプ１２及び貯水槽１３を用いて培養液の供給を行うこととしたが、これは必ずしも必要でなく、水路に培養液がなくなり潅水が必要になったときに必要な量の培養液をバケツなどで流し込むだけで同様の効果を得ることができる。
【００３６】
本実施例に係る間断式栽培用育苗床パネル１は、幅９０ｃｍ、長さ１２０ｃｍ、厚み１０ｃｍの寸法を有する矩形状の発泡合成樹脂の支持板２であって、端面から各溝３ａ、３ｂまでの距離を５ｃｍとして、長さ方向に伸びる溝３ａを９本、横方向に交差する溝３ｂを１２本、それぞれ１０ｃｍ間隔で設けた。格子状の水路５の各交点６計１０８ヵ所には、図３のように支持部１１が設けられ、それぞれ育苗ポット７が支持されるようにしてある。また、図４に示すように、各交点６の穴の周囲には嵩上げした突起が育苗ポットの支持部１１として設けられ、この突起が育苗ポット７のフランジ７ｃを支えるようになっている。また、育苗床パネル１の溝３の断面は、矩形であっても差し支え無いが、図５に示すように、略Ｖ字状とすると使用する培養液の量がさらに少なくて済むので好ましい。
【００３７】
なお、水路５の交点６の底にはその深さが浅くなるように所定長さ上方向へ隆起した突部１４を形成して育苗ポット７の底面部分の培養液の滞留がないようにするのも好ましい。このようにすることにより交点６の底部の廃液が円滑になり、この位置に培養液が長期間対流することがないので培養液による根腐れを起こし難くすることができる。
【００３８】
さらに育苗床パネル１は、水路５以外は均一な厚みを有するものとして成形されているが、水路５に囲まれた島部分１５の樹脂は材料節約のため裏面側は窪ませ、必要な強度が保たれる程度に薄肉に形成されていてもよい。さらに必要な強度が得られる樹脂を用いているのであれば、育苗床パネル１の島部分１５を中抜き構造として縦横の樋を連結してなる格子状の構造体であってもよい。
【００３９】
この育苗床パネルは、発泡スチロールなどによって、成形製造される。育苗床パネルの材料としては、発泡スチロールのほかには、ポリエチレンテレフタレート、ポリプロピレンや、バイオポリマー、生分解性ポリマー等が用いられる。そして、育苗床パネルの材料の一体成形時に、必要な水路とともに給排水孔が設けられる。また、一辺に貯水容器と一体に給水設備を設けておいて給水したりする。次のパネルとの連結部分の開口したい部分にあらかじめ必要により開口部が容易に開口できるようにしておくと、連結が容易になり好ましい。
【００４０】
上述した構成を備える育苗床パネルを用いた本実施例にかかる間断式栽培方法を以下に説明する。
先ず、育苗床パネル１の交点６に苗等が植えられた育苗ポット７を差込配置する。このとき、育苗床パネルに設けられた溝３ａ、３ｂの深さは育苗ポット７の長さよりも深く、育苗ポット７が交点６に差込挿入され支持部１１によって支持された際に、溝３ａ、３ｂの底（厳密には突部１４の上面）と育苗ポット７の底部との間には所定の隙間が形成されている。
【００４１】
育苗ポット７が配置された状態で、給水ポンプ１２により給排水口４から培養液を供給する。ここで供給される培養液の量は、溝３ａ、３ｂに貯留された際に、培養液が育苗ポット７の底面に若干触れる程度である。
【００４２】
所定量の培養液の供給が終わると給水ポンプ１２が停止される。この状態で、育苗ポット７の底部に設けられた給水口（図示省略）から培養液が育苗ポット７内に吸い上げられる。
【００４３】
上記のように育苗ポット７内に吸い上げられ、あるいは培養液表面からの蒸発によって水路５内の培養液の量が減少し、その水面が育苗ポット７の底面から離反した位置になると、再び給水ポンプを作動させて培養液の給水を行う。このタイミングは予めタイマー等を用いて設定される。なお、この２回目以降の培養液の供給に際しては、培養液を供給する前に既に水路内に存在する培養液を排出すると、常に新しい培養液が育苗ポット７に供給されることとなり、培養液による苗等の根腐れを良好に防止することができる。そして、この培養液の供給を苗が所定の大きさに成長するまで、複数回行う。
【実施例２】
【００４４】
上記実施例１においては、水路５上の交点６の育苗ポットの支持部１１が図６に示すように育苗ポット７を垂直に支持するように形成されているが、図７に示すように、斜めにして支持するように形成してもよい。そこで、以下には育苗ポット７を斜めに保持する育苗床パネルについて説明する。
【００４５】
本実施例にかかる育苗床パネル１'は、図８に示すように、交点６'が例えばどちらかの溝３ａ'または３ｂ'部分に拡張して楕円状に形成され、斜面は緩やかに形成し、育苗ポット７の支持手段１１'は交点６の斜面側にのみ設けられ、その上部が斜面となって高低差がついている。そして、図７に示すように、育苗ポット７を斜めに保持すると苗９の根が横に寝ることにより、垂直に保持する場合よりも培養液の吸収が早くなる。さらに、イチゴの育苗においては、根が一方に偏って生長するため苗を本圃に定植した後の分割生育がよいという付加的な効果もある。
【００４６】
図９は育苗床パネルのさらに他の実施例の平面図であり、溝を斜めに交差させたものである。その他の点においては、実施例１の育苗床パネル１と略同様であるので、同記号を付して説明を省略する。この育苗床パネル１Ａは、図１に比較すると水路の面積が増加するため培養液の必要量が多くなるが、水槽を用いる湛液型循環式に比較すると大きく節減でき、かつパネルの４隅を給排水に使用できるので交点６の高密度の配置ができる。
【００４７】
以上、図面を参照して本発明の実施例を説明した。以上に示したような間断式栽培方法及び間断式栽培用育苗床パネルを使用すれば、安価なパネルを供給することにより、設備費が安価になり、また使用する培養液を少なくすることができ維持費が安価ですむ。さらに培養液の供給を間断方式にすることによって電気代が安くなる。
【図面の簡単な説明】
【００４８】
【図１】図１は本発明の実施例１に係る間断式底面給水栽培方法に使用する育苗床パネルの平面図である。
【図２】図２は間断式底面給水栽培方法を実現する栽培装置の一例を示す斜視図である。
【図３】図３は図１の育苗床パネルの一部拡大平面図である。
【図４】図４は図１のＡ−Ａ線で切断した断面図である。
【図５】図５は図１のＢ−Ｂ線で切断した断面図である。
【図６】図６は図４に示す育苗用パネルに育苗用ポットを配置した状態を示す断面図である。
【図７】図７は他の育苗床パネルの交点部分の使用状態を示す断面図である。
【図８】図８は図７の交点部分の平面図である。
【図９】図９は育苗床パネルのさらに他の実施例の平面図である。
【図１０】図１０は従来の湛水式水耕栽培方式の設備の側断面図である。
【図１１】図１１は従来の底面潅水が可能な水耕装置の斜視図である。
【符号の説明】
【００４９】
１          育苗床パネル
２          矩形状支持板
３ａ、３ｂ  溝
５          （格子状）水路
６          交点
７          育苗ポット
７ａ        胴部
７ｂ        底部
７ｃ        フランジ
８          高架床台
１１        支持部
１２        給水ポンプ
１３        貯水槽
１４        突部
１５        島部分
【図１】
2007110933.tif 000003
【図２】
2007110933.tif 000004
【図３】
2007110933.tif 000005
【図４】
2007110933.tif 000006
【図５】
2007110933.tif 000007
【図６】
2007110933.tif 000008
【図７】
2007110933.tif 000009
【図８】
2007110933.tif 000010
【図９】
2007110933.tif 000011
【図１０】
2007110933.tif 000012
【図１１】
2007110933.tif 000013